(57)【要約】【課題】  就寝者の寝返りや、掛け布団の移動操作等の外的な力の付与で、布団カバー内の掛け布団本体が遊動して偏在することがなく、常に安定した一様な状態で掛け布団本体を布団カバー内に保ち、就寝者に快感な寝心地を保持せしめ得る掛け布団を得る。【解決手段】  布地を表面、裏面として重ね合わせて、封筒状に形成し、羽毛、真綿等の保温部材を充填して封止した掛け布団本体５に、布団カバー１１を着脱自在に被包して装着した掛け布団１０である。前記布団カバー１１と掛け布団本体５とを、その四隅のそれぞれの位置に設けた結び紐具３、１３を用いて係止し、かつ布団カバー１１および掛け布団本体５に配したファスナーのそれぞれの務歯４、１４を噛み合わせて係止して位置決めしたうえ、掛け布団本体５を布団カバー１１内に収容する。【選択図】      図１
2005124817.tif 000002
【特許請求の範囲】
【請求項１】
布地を封筒状に形成した袋体内に羽毛、真綿等の保温部材を充填して封止してなる布団本体と、この布団本体を被包する布団カバーを備えた布団であって、
これら布団本体と布団カバーとが、それぞれに設けられた２種の係止具を互いに係止することで着脱自在に被包されていることを特徴とする布団。
【請求項２】
上記２種の係止具が、結び紐具およびファスナーであることを特徴とする請求項１に記載の布団。
【請求項３】
上記ファスナーの一方の務歯が布団本体に、他方の務歯が布団カバーに設けられ、それらの長手方向が布団本体の幅方向に平行となっていることを特徴とする請求項２に記載の布団。
【請求項４】
上記結び紐具が、布団本体および布団カバーのそれぞれの周縁部に沿って設けられていることを特徴とする請求項２に記載の布団。
【発明の詳細な説明】
【技術分野】
【０００１】
本発明は、寝具の一つである布団、特に、掛け布団に関し、布団本体と布団カバーからなる布団が就寝時に就寝者によって外的な力が付加されても、布団カバーが布団本体よりずれることなく安定して一様に装着され、安眠が常に保たれるようにしたものである。
【背景技術】
【０００２】
寝具としての掛け布団本体は、布地を二重に重ね合わせて封筒状の袋体とし、その袋体の内部に真綿、羽毛等の保温部材を充填して、封止して形成されている。そして、かかる掛け布団本体は、使用に従って汚れるのを防ぐため、従来、図５に図示するように、掛け布団本体５１を封筒状の袋体からなる布団カバー５２で被包装着して掛け布団５０として使用している。
そして、このよう従来の掛け布団５０にあっては、布団カバー５２の側部にファスナー５３を配した開閉自在な開口５２ａを経て掛け布団本体５１を布団カバー５２内に装入した後、ファスナー５３で開口５２ａを閉止して、布団カバー５２内に掛け布団本体５１を収容している。そして、布団カバー５２が汚れたら、布団カバー５２を掛け布団本体５１より取り外して、洗濯したり、消毒をして、繰り返し使用するようにしている。
【０００３】
しかし、このような従来の掛け布団５０にあっては、布団カバー５２内に掛け布団本体５１を単に装入、収容しているにすぎない。それため、かかる掛け布団５０では、その使用時において就寝者の寝返りや、就寝者による掛け布団５０の移動操作等の外的な力が付与されると、図５に図示するように掛け布団本体５１が布団カバー５２内で遊動して、襞５４や、曲折部５５が形成され、掛け布団本体５１が布団カバー５２内で偏在してしまい、布団カバー５２内の縁端部に遊空間５２ｂが生じることがある。このため、就寝者の身体を安定した状態で掛け布団本体５１で覆うことが出来なくなり、就寝者に不快感を誘発せしめて、寝心地を悪くしたりして、安眠を妨げることとなっていた。
本出願人は、この種の布団本体と布団カバーとの着脱および固定に関する先行公知技術については知らない。
【発明の開示】
【発明が解決しようとする課題】
【０００４】
本発明は、上記事情に鑑みなされたもので、就寝時において、就寝者の寝返りや、布団の移動操作等の外的な力の付与により布団カバー内で布団本体が遊動することをなくし、布団本体が布団カバー内で偏在して布団カバー内の縁端部に遊空間が生じることを防止し、就寝者の身体を常に安定した一様な状態で布団本体で覆うことを可能とし、就寝者に快感な寝心地の付与を保持せしめることができるようにすることにある。
【課題を解決するための手段】
【０００５】
上記課題を解決するため、
請求項１に係わる発明は、布地を封筒状に形成した袋体内に羽毛、真綿等の保温部材を充填して封止してなる布団本体と、この布団本体を被包する布団カバーを備えた布団であって、
これら布団本体と布団カバーとが、それぞれに設けられた２種の係止具を互いに係止することで着脱自在に被包されていることを特徴とする布団である。
【０００６】
請求項２に係わる発明は、上記２種の係止具が、結び紐具およびファスナーであることを特徴とする請求項１に記載の布団である。
請求項３に係わる発明は、上記ファスナーの一方の務歯が布団本体に、他方の務歯が布団カバーに設けられ、それらの長手方向が布団本体の幅方向に平行となっていることを特徴とする請求項２に記載の布団である。
請求項４に係わる発明は、上記結び紐具が、布団本体および布団カバーのそれぞれの周縁部に沿って設けられていることを特徴とする請求項２に記載の布団である。
【発明の効果】
【０００７】
本発明の布団によれば、布団本体に装着される布団カバーと布団本体とが、その四隅およびその表面において係止されて装着されているので、就寝使用時に、就寝者の寝返りや、布団の移動操作等の外的な力を付与しても、布団カバー内で布団本体が遊動することを無くなり、この結果、布団本体が布団カバー内で偏在したり、布団カバーの内部の縁端部に遊空間が形成されたりすることが無くなり、布団カバーが安定した状態で布団本体に装着され、この状態が維持される。
【０００８】
このため、就寝者の身体を布団本体で常に安定した一様な状態で覆う機会が保たれることとなることから、就寝者が寝冷え等になることが防止されると共に、就寝者に快感な寝心地の付与を保持せしめ、安眠を助ける効果を奏する。
【０００９】
さらに、布団本体に布団カバーを装着するに際して、これら係止具で布団本体に布団カバーを定位置に固定した状態にして装着操作するので、装着作業において布団本体と布団カバーとの位置ずれがなく、装着操作が容易であると共に、乱れることなく適正に整合した状態で布団本体に布団カバーを装着することが出来る効果を奏する。
【発明を実施するための最良の形態】
【００１０】
本発明を実施するための最良の形態について、図面を参照して説明する。
図１は、本発明の布団の一例としての掛け布団の例を示す一部切開斜視図である。
図１において、この例の掛け布団１０は、真綿や羽毛等の保温部材が表面と裏面からなる袋体に充填、封止されてなる掛け布団本体５と、側面に沿ってファスナーなどの開閉可能な封止部材１２を備えた開口１１ｃを有する封筒状の布団カバー１１とから構成されており、この掛け布団本体５を布団カバー１１で被包してなるものである。
【００１１】
上記掛け布団本体５は、図２に図示する一部切開斜視図に示すように、表面１ａ、裏面１ｂの二重布地からなる袋体１内に真綿や羽毛等の保温部材２を充填、封止してなるものである。
そして、この掛け布団本体５の四隅５ａ、５ｂ、５ｃ、及び５ｄには、第１の係止具となる結び紐具３、３・・・が縫着するなどして設けられている。この例の結び紐具３は、布製テープをリング状にまるめた状態で、これら四隅に止め付けてなるものである。この第１の係止具としては、結び紐具３以外に結合リングなどの操作が容易な他のものを使用してもよい。
また、掛け布団本体５の袋体１の表面１ａ上には、その幅方向に沿って線状に第２の係止具となるファスナーの一方の務歯（エレメント）４が縫着などの手段により設けられている。このファスナーの一方の務歯４の位置は、デザインおよび使用勝手の点から就寝者の頭部側に近い位置に配置されている
【００１２】
上記布団カバー１１は、図３に図示する斜視図に示す構成よりなるものである。図３は、布団カバー１１の内側１１（ＩＮ）を示す（カバーを裏返しにして示してある。）斜視図である。
この布団カバー１１は、表面１１ａ、裏面１１ｂを二重に重ね合わせて封筒状の布製の袋体に形成し、その側面に沿ってファスナーなどの開閉可能な封止部材１２を備えた開口１１ｃを配設してなるものである。
そして、この布団カバー１１の内側１１（ＩＮ）の四隅１１ｄ、１１ｅ、１１ｆ、及び１１ｇには、第１の係止具としての結び紐具１３、１３・・・が縫着などの手段により設けられている。この例の結び紐具１３は、長さ５〜１５ｃｍ程度の布製テープの長さ方向の中間部を四隅に縫いつけてなるものである。この第１の係止具としては、結び紐具１３以外に結合リングなどの操作が容易な他のものを使用してもよい。
【００１３】
また、布団カバー１１の表面１１ａの内側面には、第２の係止具としてのファスナーの他方の務歯１４がやはり縫着などの手段により設けられている。
そして、このファスナーの他方の務歯１４は、上記掛け布団本体５の表面１ａに配されたファスナーの一方の務歯４に係合して掛け布団本体５の表面１ａに装着されるように、該掛け布団本体５の表面１ａに配されたファスナーの一方の務歯４に対応した位置に配されている。
【００１４】
そして、このような構造の掛け布団本体５と布団カバー１１とは、布団カバー１１内に掛け布団本体５が収容された状態とされ、かつ布団カバー１１の結び紐具１３、１３・・・が掛け布団本体５の結び紐具３、３・・・にそれぞれ対応する位置において結ばれ、かつ布団カバー１１のファスナーの他方の務歯１４と掛け布団本体５のファスナーの一方の務歯４とが噛み合って係止されて、図１に示すような掛け布団１０となっている。
【００１５】
一方の結び紐具１３と他方の結び紐具３との係止は、リング内にテープの片方を通し、テープを互いに結ぶことで行われる。
また、ファスナーの一方に務歯１４と他方の務歯４との噛み合わせは、いずれか一方の務歯１４（４）に取り付けられたスライダーに、他方の務歯４（１４）を挿入してスライダーをスライドすることによって行われる。
【００１６】
次に、掛け布団本体５を布団カバー１１を収容して、両者を装着する操作方法について、図４の装着操作図により説明する。
先ず図４(Ａ)に示すように、掛け布団本体５の袋体１の表面１ａ上に布団カバー１１を位置決めする。この位置決めは、掛け布団本体５の表面１ａ上に設けたファスナーの一方の務歯４に、布団カバー１１をその内側１１(IN)を外にして、表面１１ａの内側面に設けたファスナーの他方の務歯１４を係合係止した後、掛け布団本体５の４隅５ａ、５ｂ、５ｃ及び５ｄに設けた結び紐具３を、布団カバー１１の内側１１（ＩＮ）の四隅１１ｄ、１１ｅ、１１ｆ及び１１ｇに設けた結び紐具１３とを結合係止する。こようにして掛け布団本体５の表面１ａ上に、布団カバー１１の表面１１ａを、その内側面を表にした状態で結合して位置決めを行う。この結果、布団カバー１１は、その裏面１１ｂの内側面が上面に位置して表側に現れることとなる。
【００１７】
次いで、図４(Ｂ)に図示するように、布団カバー１１の開口１１ｃで、布団カバー１１の裏面１１ｂの開口部１１ｃをこれと対向する側に向けて引っ張りながら内側面を反り返して外側面に反転させるように操作し、開口１１ｃの対向側で、布団カバー１１の裏面１１ｂを掛け布団本体５の裏面５ｂに向けて、該掛け布団本体５を包むようにして折り返して、布団カバー１１の裏面１１ｂの開口部ｃを、布団カバー１１の表面１１ａの開口部１１ｃに合致せしめる。
この場合、掛け布団本体５と布団カバー１１が、前記の通り係合係止されているので、その操作作業は容易に遂行することが出来る。かくして、布団カバー１１は、その表面１１ａ、裏面１１ｂのそれぞれの内側面が内側１１（ＩＮ）となって掛け布団本体５と接し、一方これらの外側面は外側１１（ＯＵＴ）に現出する状態となる。
【００１８】
次いで、これらの開口部に備えられているファスナーなどの封止部材１２を係合せしめて、布団カバー１１の開口１１ｃを封止する。
この結果、図４(Ｃ)に図示するように、掛け布団本体５は、布団カバー１１内で、掛け布団本体５の表面５ａ（１ａ）と四隅とが布団カバー１１のそれぞれの対応位置で固定されて、被包された掛け布団１０を得る
【００１９】
このような掛け布団１０にあっては、掛け布団本体５が布団カバー１１内で、その四隅と表面とにおいて布団カバー１１に位置決めされて結合固定されているので、就寝時において、就寝者の寝返りや、掛け布団１０の移動操作等の外的な力が付与されても、布団カバー１１内の掛け布団本体５が遊動することが無く、掛け布団本体５が布団カバー１１内で偏在して布団カバー１１内の縁端部に遊空間が生起することが防止される。このため、就寝者の身体を常に安定した一様な状態で掛け布団本体５で覆うことを可能となり、就寝者に快感な寝心地の付与を保持せしめ、安眠を与えることとなる
【００２０】
また、必要時には、簡単に布団カバー１１と掛け布団本体５とを分離することができ、布団カバー１１の洗濯などを容易に行うことができる。
【００２１】
以上説明した実施形態では、掛け布団本体５に布団カバー１１を装着する場合、布団カバー１１の表面１１ａを掛け布団本体５の表面５ａ（１ａ）に係合係止して位置決めした例を例示したが、本発明はこれに限定されるものでなく、掛け布団本体５の裏面１ｂで布団カバー１１の裏面１１ｂを係合係止して位置決めしても良い。
また、掛け布団本体５の長手方向の端部の中間位置にも、第１の係止具となる結び紐具３、３を取り付け、布団カバー１１のこれに対応する位置に結び紐具１３、１３を取り付け、これら結び紐具３，３、１３、１３を結ぶこともでき、両者の位置ずれや掛け布団本体５の布団カバー１１内での遊動などをさらに減少できる。
また、布団カバー１１の表面１１ａの一部を、粗めの織布や網目の布地にすると、掛け布団本体５の包袋表面５ａ（１ａ）に施されている模様が、装着した布団カバー１１の表面１１ａの網目を通して透視出来て、美観を呈することとなり、デザイン上好ましい。
【００２２】
また、本発明の布団は、上述の掛け布団に限定されるものではなく、敷き布団をも含むものであり、さらには布団カバーと布団本体とに相当する部材を有する寝具全体をも包含するものである。
【産業上の利用可能性】
【００２３】
本発明の布団は、掛け布団や敷き布団などの寝具に広く、一般に利用することができる。
【図面の簡単な説明】
【００２４】
【図１】本発明の布団の一例としての掛け布団を示す一部切開斜視図である。
【図２】掛け布団本体の一例を説明する一部切開斜視図である。
【図３】布団カバーの一例で、その内側を示す斜視図である。
【図４】掛け布団本体に布団カバーを装着して掛け布団を形成する操作順序を説明する斜視図である。
【図５】従来の掛け布団本体と布団カバーからなる掛け布団を示す一部切開斜視図である。
【符号の説明】
【００２５】
１０・・・掛け布団、３・・・結び紐具、４・・・ファスナーの一方の務歯、５・・・掛け布団本体、１１・・・布団カバー、１３・・・結び紐具、１４…ファスナーの他方の務歯
【図１】
2005124817.tif 000003
【図２】
2005124817.tif 000004
【図３】
2005124817.tif 000005
【図４】
2005124817.tif 000006
【図５】
2005124817.tif 000007